(57)【特許請求の範囲】
【請求項１】
被写体像を光電変換する撮像素子と、前記撮像素子の前面に配置された光学部材と、前記光学部材を振動させるための振動手段とを有する撮像装置であって、
前記撮像装置がクリーニング状態となるときに、ユーザが手動で前記光学部材のクリーニングを行えるよう前記光学部材を露出させるように制御するとともに、前記撮像装置が前記クリーニング状態となっている間に、第１の操作部材が操作されると、前記光学部材を露出させたままの状態で前記振動手段によって前記光学部材を振動させるように制御する制御手段を有することを特徴とする撮像装置。
【請求項２】
前記制御手段は、前記クリーニング状態となっている間に、前記第１の操作部材が操作されている間だけ、前記光学部材を露出させたままの状態で前記振動手段によって前記光学部材を振動させるように制御することを特徴とする請求項１に記載の撮像装置。
【請求項３】
前記撮像装置は、操作されることで、前記クリーニング状態が解除される第２の操作部材をさらに有することを特徴とする請求項１または２に記載の撮像装置。
【発明の詳細な説明】
【技術分野】
【０００１】
本発明は、レンズ交換式デジタル一眼レフカメラ等の撮像装置に関し、特に撮像素子における撮像面のゴミを除去する技術に関するものである。
【背景技術】
【０００２】
デジタルカメラは、ＣＣＤ等の撮像素子により被写体像を光電変換して得られた画像データをＣＦ（コンパクトフラッシュ（登録商標））カードやハードディスク装置等の外部記憶装置に記録する。外部記憶装置は何度でも書込み、消去が可能であるので、消耗品に掛かる経費が少なくて済み大変便利である。
【０００３】
しかしながら、従来のデジタルカメラにあっては、撮像素子の結像面近傍（例えば、撮像素子の前面に配置されたカバーガラス（以下、撮像面という。））に被写体とは無関係なゴミ、ホコリ、塵等（以下、「ゴミ」と総称する。）の異物が存在すると、これも併せて写り込んでしまうという問題がある。
【０００４】
このように撮像素子の撮像面に１度ゴミが付着すると、その状態で撮影された多くの画像に同様のゴミが写り込んでしまう。従って、撮影者は撮像素子上のゴミの付着には常に注意を払っている必要があり、ゴミの清掃に多くの労力を費やしていた。
【０００５】
更に、一眼レフタイプのレンズ交換式デジタルカメラでは、レンズユニットの着脱によるゴミの侵入や、撮像素子の直前にフォーカルプレーンシャッターを配置している影響で特に撮像素子の撮像面上にゴミが付着し易い。
【０００６】
以上述べたように、デジタルカメラでは撮像素子の撮像面上に付着したゴミの確認や清掃が大きな課題となっている。
【０００７】
上記課題を解決するための技術として、特許文献１には、撮像ユニットの受光面を清掃するためのクリーニングモードを設けたレンズ交換式電子カメラが開示されている。ユーザは、撮像ユニットの受光面上のゴミ等を除去する清掃作業を行う場合には、クリーニングモードを選択し、レリーズボタンを押す。これにより、メインミラーを撮影光路から退避させると共に、シャッターユニットの先幕シャッターのみを走行させて全開状態とし、受光面を露出させる（クリーニング状態）。ユーザは、このクリーニング状態においてブロア等を用いて撮像ユニットの受光面を清掃することができる。また、清掃が終了したらレリーズボタンを再度押すことによりクリーニング状態を解除する。
【０００８】
また、特許文献２には、レンズ交換式デジタルカメラのレンズマウントに清掃装置を装着し、そのノズルから空気を吹き出して撮像素子の撮像面近傍に付着しているゴミを吹き飛ばす技術が開示されている。清掃装置はレンズマウントに装着されて起動スイッチがオンされると、カメラが清掃装置装着による清掃状態であるか判定し、清掃装置装着による清掃状態の場合、ノズルを繰り出して光学ローパスフィルタの近傍までノズルを延ばす。そして、このノズルから空気を吹き出して光学ローパスフィルタの表面に付着しているゴミを吹き飛ばす。
【０００９】
更に、特許文献３には、撮像素子へのゴミの付着を防止するため、撮像素子の前面に振動可能な光透過部材を配置し、この光透過部材を圧電素子により振動させてゴミの付着を抑制する撮像装置が提案されている。
【特許文献１】特開２００４−３２１８９号公報
【特許文献２】特開２００４−３２６０９５号公報
【特許文献３】特開２００５−２００７８号公報
【発明の開示】
【発明が解決しようとする課題】
【００１０】
しかしながら、上述したようにカメラをクリーニング状態にして空気を吹き付けるだけでは、撮像素子の前面に配置された光学部材等に付着したゴミが取れない場合がある。
【００１１】
また、カメラ内で自動的に行われる処理のみでは充分にゴミが除去された状態を維持できない場合がある。
【００１２】
本発明は、上記課題に鑑みてなされたものであり、その目的は、撮像素子の撮像面の清掃作業をユーザの意思に従って効率的に行うことができる撮像装置およびその制御方法を提供することにある。
【課題を解決するための手段】
【００１３】
上記課題を解決し、目的と達成するために、本発明の撮像装置は、被写体像を光電変換する撮像素子と、前記撮像素子の前面に配置された光学部材と、前記光学部材を振動させるための振動手段とを有する撮像装置であって、前記撮像装置がクリーニング状態となるときに、ユーザが手動で前記光学部材のクリーニングを行えるよう前記光学部材を露出させるように制御するとともに、前記撮像装置が前記クリーニング状態となっている間に、第１の操作部材が操作されると、前記光学部材を露出させたままの状態で前記振動手段によって前記光学部材を振動させるように制御する制御手段を有することを特徴とする。
【発明の効果】
【００１５】
本発明によれば、ユーザの意思により任意のタイミングで、ゴミ除去のための振動動作を実行させることができるので、他の清掃作業との相乗効果を得たり、特定のシャッターチャンスに備えてカメラを最良の状態にコントロールすることができる。
【発明を実施するための最良の形態】
【００１６】
以下に、添付図面を参照して本発明を実施するための最良の形態として適用したレンズ交換式デジタル一眼レフカメラ（以下、カメラと略称する。）について詳細に説明する。
【００１７】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。例えば、本実施形態のカメラにおいて、撮像素子に防塵のための更なる構成を追加してもよい。
【００１８】
また、本発明は、後述する実施形態の機能を実現するソフトウェアのプログラムコードを記憶した記憶媒体（または記録媒体）をカメラに供給することによっても達成されることは言うまでもない。この場合、カメラのコンピュータ（またはCPUやMPU）が記憶媒体に格納されたプログラムコードを読み出し実行することになる。
【００１９】
［第１の実施の形態］
図１は本発明に係る第１の実施の形態のカメラの背面図（ａ）及び上面図（ｂ）である。図２は本発明に係る第１の実施の形態のカメラの断面図である。
【００２０】
図１に示すように、１００はカメラ本体、２００は撮影レンズである。１１１はファインダ観察用の接眼窓である。１１２はカメラの各種設定操作に用いるセット釦である。１１４はレリーズボタンである。１１５は他の操作ボタンと併用され、カメラに数値を入力したり、撮影モードを切り替えたりするための信号入力用のメイン電子ダイアルである。１１６はメイン電子ダイアル１１５と同様の機能を備えた、カメラの撮影条件等を選択するためのサブ電子ダイアルであり、ＬＣＤモニタ１２０の表示及びセット釦１１２を併用してカメラの各種設定操作を行う。１１７は撮影モード選択ボタン等の撮影系の操作に使用する釦スイッチ類である。１１８はカメラの全ての動作を禁止するメインスイッチである。１２０は撮影された画像を表示するＬＣＤ（液晶表示器）モニタである。１２１はＬＣＤモニタ１２０にカメラの各種モードを選択するためのメニューボタンである。各種モードを選択する時には、このメニューボタン１２１を押してＬＣＤモニタ１２０にメニュー画面を表示させた状態で、サブ電子ダイアル１１６を回転して所望のモードを選択する。そして、所望のモードを選択しセット釦１１２を押すことで選択が完了する。なお、上記メニューボタン１２１、サブ電子ダイアル１１６及びセット釦１１２は、後述するクリーニング状態に切り替える際のアイコンの選択にも使用される。１２２は撮影した画像をＬＣＤモニタ１２０に表示するための再生釦、１２３は再生した画像を消去するための消去釦である。４０９は撮影条件等を表示する外部表示機能を備えた液晶表示器からなる外部表示装置である。
【００２１】
図２に示すように、撮影レンズ２００は、カメラ本体１００に対して本体マウント２０２を介して着脱可能に構成される。２０１は撮影光軸、２０３はクイックリターンミラーである。クイックリターンミラー２０３は、上記撮影光軸２０１の撮影光路内に傾斜して配設されていて、撮影レンズ２００からの被写体光をファインダ光学系に導く位置（斜設位置）と撮影光路外に退避する位置（退避位置）との間で移動可能である。図２はクイックリターンミラー２０３が斜設位置にある状態を示している。
【００２２】
２０４はピント板で、ファインダ光学系に導かれる被写体光を結像する。２０６はペンタゴナルダハプリズムで、ピント板２０４を通った被写体光をファインダ観察用の接眼レンズ２０８及び測光センサ２０７に導く。また、１１１はファインダ観察用の接眼窓である。
【００２３】
２０９，２１０はシャッターを構成する後幕と先幕で、これら後幕２０９，先幕２１０の開放によって、後方に配置されている撮像素子２１２に必要な露光を与える。撮像素子２１２の前面にはカバーガラス２０５が配置されている。カバーガラス２０５は圧電素子等の振動素子２１５と接続されている。
【００２４】
カバーガラス２０５は撮像素子２１２の前面にて振動可能な光学部材を構成している。カバーガラス２０５は振動素子２１５を駆動することにより撮像素子２１２の前面にて振動され、そのガラス表面に付着したゴミを除去できるように構成されている。
【００２５】
撮像素子２１２に蓄積された電気信号は、図３で後述する画像処理回路４０３において画像データにされてメモリーカード２１６に送られる。
【００２６】
また、クリーニング状態時は、クイックリターンミラー２０３を退避位置に駆動し（ミラーアップ）、先幕２１０を開放して、後幕２０９を保持（走行させない）するように制御する。これにより、カバーガラス２０５が露出しレンズマウント２０２側からカバーガラス２０５上のゴミを除去することができるようになる。
【００２７】
２１１はプリント基板で、撮像素子２１２が保持されていると共に、加振制御回路等が実装されている。撮像素子２１２が保持されているプリント基板２１１の外側の面にはＬＣＤモニタ１２０及びバックライト照明装置２１４が配置されている。２１６は画像データを記録するＣＦ（コンパクトフラッシュ（登録商標））カード等のメモリーカードであり、２１７は電池である。メモリーカード２１６及び電池２１７は着脱可能である。
【００２８】
図３は本発明に係る第１の実施の形態のカメラの電気的な構成を示すブロック図である。
【００２９】
図３において、４０１はプリント基板で、カメラの動作の全てを制御するマイクロコンピュータ４０２が搭載されている。また、プリント基板４０１には、撮像素子２１２に蓄積された電気信号から画像データを生成したり、撮影した画像をＬＣＤモニタ１２０に表示するための信号処理をしたりする画像処理回路４０３等が搭載されている。
【００３０】
４０５はスイッチ１で、レリーズボタンの半押し状態でＯＮ（オン）するスイッチであり、このスイッチ１がＯＮするとカメラは撮影準備状態になる。４０６はスイッチ２で、レリーズボタンが最後まで押された状態でＯＮ（オン）するスイッチであり、このスイッチ２がＯＮするとカメラは撮影動作を開始する。
【００３１】
４０７はレンズ制御回路で、図２で示した撮影レンズ２００との通信及びＡＦ（オートフォーカス）時の撮影レンズ２００の駆動や絞り羽根の駆動の制御を受け持っている。
【００３２】
４０８は外部表示制御回路で、外部表示装置４０９やファインダ内の表示装置（不図示）の制御を行う。４１０はスイッチセンス回路で、カメラ内に設けられたメイン電子ダイアル１１５やサブ電子ダイアル１１６を含む多数のスイッチ類の信号をマイクロコンピュータ４０２に伝達する。
【００３３】
４１３は測距回路で、ＡＦ（オートフォーカス）のための被写体に対するデフォーカス量を検出する機能を有する。４１４は測光回路で、図２に示した測光センサ２０７の信号から被写体の輝度を測定する機能を有する。４１５はシャッター及びミラーの駆動制御を行う駆動系制御回路で、シャッターを適宜開放して撮像素子２１２に対して適正な露光を行い、ミラーアップ／ミラーダウンの制御駆動を行う。
【００３４】
圧電素子等の振動素子２１５は加振制御回路４２０で駆動され、図２に示したカバーガラス２０５を振動させ、そのガラス表面に付着していたゴミを除去できるように構成されている。この圧電素子等の振動素子２１５及び加振制御回路４２０により振動手段が構成されている。
【００３５】
４２１は電池２１７の電圧をカメラを構成する各回路ユニットが必要とする電圧に変換して供給する電源回路である。
【００３６】
図４は、本発明に係る第１の実施の形態のカメラの動作を示すメインルーチンのフローチャートである。なお、以下の処理は、マイクロコンピュータ４０２により実行される。
【００３７】
図４において、Ｓ４０１では、図１に示したメインスイッチ１１８がＯＮしたか否かを判断する。ここでメインスイッチ１１８がオフの状態であれば、そのまま何もせずスタートに戻ってＳ４０１に進む。つまり、電池が入っていてもメインスイッチがオフの位置であれば、Ｓ４０１からスタートの間のループを繰り返して待機していることになる。一方、メインスイッチ１１８がＯＮであれば、Ｓ４０２に進み、カメラの各操作スイッチがＯＮしたか否かを判断する。そして、いずれの操作スイッチも操作されていない時は、スタートに戻ってＳ４０１に進む。
【００３８】
Ｓ４０２でいずれかの操作スイッチがＯＮされたならばＳ４０３に進み、ＯＮされた操作スイッチに対応した処理を図３に示したマイクロコンピュータ４０２により行う。ここでの処理は、例えば、カメラの各操作部材を操作して、撮影モードを変更したり、撮影済の画像を読み出したり、クリーニング状態を設定したりする処理である。Ｓ４０３の処理を実行した結果、Ｓ４０４ではクリーニング状態が設定されたか否かを判断する。Ｓ４０４でクリーニング状態が設定されていたらＳ４０５に進み、図５で後述するクリーニングルーチンを実行する。一方、Ｓ４０４でクリーニング状態が設定されていなければ、Ｓ４０６へ進み、スイッチ１がＯＮしたか否かを判断する。スイッチ１（４０５）は図１に示したレリーズボタン１１４の半押し状態でＯＮするスイッチであり、このスイッチ１がＯＮするとカメラは撮影準備状態になる。そして、スイッチ１がＯＮしていればＳ４０７に進み、スイッチ１がオフしていれば上記Ｓ４０１へ戻る。
【００３９】
Ｓ４０７では、測光回路４１４を駆動し測光（ＡＥ）動作を行う。更に、測距回路４１３を駆動し測距回路４１３からの測距情報に基づきレンズ制御回路４０７により撮影レンズ２００を駆動し測距（ＡＦ）動作が行われる。
【００４０】
次にＳ４０８でスイッチ２（４０６）がＯＮされたか否かを判断する。このスイッチ２がＯＮされるとＳ４０９へ進み、カメラは撮影処理ルーチンを実行する。
【００４１】
Ｓ４０９では、先ず図２に示したクイックリターンミラー２０３を駆動して撮影光路外にクイックリターンミラー２０３を退避させる（ミラーアップ）。次に図２に示した撮像素子２１２による電荷の蓄積が開始され、撮像素子２１２の露光、即ち、図２に示したシャッター先幕２１０及びシャッター後幕２０９がそれぞれ走行する。そして、露光終了後、撮像素子２１２の電荷蓄積を終了し画像信号が読み出され、図３に示した画像処理回路４０３に内蔵されている内部メモリ（不図示）に一時的に記憶される。全ての画像信号の読出しが終了した後、被写体光をファインダ光学系に導く位置（斜設位置）にクイックリターンミラー２０３を駆動し（ミラーダウン）、一連の撮像動作が終了する。
【００４２】
なお、Ｓ４０８でスイッチ２（４０６）がオフしていればＳ４０６へ戻り、Ｓ４０６からＳ４０８の処理を繰り返す。
【００４３】
Ｓ４１０では、撮影された被写体の画像を図１に示したＬＣＤモニタ１２０に表示する。
【００４４】
図５は、図４のＳ４０５におけるクリーニングルーチンのフローチャートである。なお、以下の処理は、マイクロコンピュータ４０２により実行される。
【００４５】
クリーニングルーチンは、具体的には、メニュー釦１２１が操作されるとＬＣＤモニタ１２０にメニューが表示され、メニュー項目はサブ電子ダイアル１１６を操作することにより選択できる。サブ電子ダイアル１１６を回転させ“クリーニングモード”の項目をフォーカスした状態でセット釦１１２を押下することによりクリーニングルーチンを実行するクリーニング状態となる。
【００４６】
上記のようにクリーニング状態にセットされると、図５のＳ５１０でクリーニング状態を示す画面をＬＣＤモニタ１２０に表示する。図６はクリーニング状態を示す画面を例示している。図６において、「キャンセル」と「ＯＫ］の各ボタン表示は、サブ電子ダイアル１１６を回転操作することによりフォーカス状態を切り替えることができる。なお、図６では「キャンセル」がフォーカスされた状態を示している。
【００４７】
図６の画面において「ＯＫ」がフォーカスされた状態でセット釦１１２を押下するとＳ５１１に進みクリーニング状態を開始する。一方、図６の画面において「キャンセル」がフォーカスされた状態でセット釦１１２を押下するとクリーニング状態を開始せずにクリーニングルーチンをリターンする。また、図６の画面には次の動作に対する説明が表示される。具体的には、ミラーアップしてクリーニング状態になった後にＳＥＴ釦を押すとアクティブクリーニングを行うことができる（カバーガラスを振動させることができる）旨の説明が表示される。更に、清掃が終わったときにはメインスイッチをオフすることによりクリーニング状態を終了させることができる旨の説明が表示される。
【００４８】
Ｓ５１０でクリーニングモードを開始するとＳ５１１へ進む。Ｓ５１１では図２に示したクイックリターンミラー２０３のミラーアップ及びシャッター先幕２１０を駆動して先幕を走行させる。この時点でカメラは本体マウント２０２側から撮像素子２１２前面のカバーガラスが露出したクリーニング状態となる。ここで撮影レンズ２００が装着されていれば、ユーザは撮影レンズ２００を外して本体マウント２０２側から、ブロア等の清掃用の道具を使用して、撮像素子２１２の前面に配置されたカバーガラスのゴミや汚れを取り除くことになる。
【００４９】
ここまでの動作は従来のクリーニングモードと同様である。
【００５０】
本第１の実施の形態ではＳ５１１の後にＳ５１２に進み、加振スイッチの状態を判定する。加振スイッチは専用のスイッチを設けてもよいし、他の機能のスイッチ（釦）と兼用してもよい。他のスイッチとの兼用の場合は、クリーニング状態のときと通常の撮影や再生の動作のときとでスイッチの機能を異ならせ、クリーニング状態では通常の機能としては動作させないようにすればよい。ここではセット釦１１２を加振スイッチとして用いる。セット釦１１２が押されていれば加振スイッチＯＮなのでＳ５１３に進む。
【００５１】
Ｓ５１３では図３に示した加振制御回路４２０を制御して振動素子２１５を駆動させる。振動素子２１５を駆動することにより振動素子２１５に接続されたカバーガラス２０５を振動させ、そのガラス表面に付着したゴミを除去できる。
【００５２】
カバーガラス２０５は、マウント側に露出しており、ユーザはブロア等の清掃用具を用いてカバーガラスの清掃を行うことができる。これにより、ユーザによる清掃作業とカバーガラス２０５の振動のいずれか一方のみを行っても除去できないゴミを取り除くことができる。
【００５３】
Ｓ５１４では加振スイッチ（セット釦１１２）がＯＦＦであるかどうかの判定をする。加振スイッチがＯＮの間はカバーガラス２０５を引き続き振動させる。カバーガラス２０５の振動は加振スイッチがＯＮの間のみ行ってもよいし、加振スイッチが一瞬だけＯＮされた場合であっても一定時間振動させるようにしてもよい。また、加振スイッチのＯＮ状態が長時間維持された場合でも所定時間でカバーガラスの振動を終了させるようにしてもよい。更には、ＯＦＦとするための別のボタンを設けておいて、ユーザがこのボタンを押し下げる動作をうけて、振動駆動を停止するようにしてもよい。
【００５４】
Ｓ５１４で加振スイッチのＯＦＦを判定するとＳ５１５に進み、カバーガラス２０５の振動を終了する。
【００５５】
Ｓ５１２で加振スイッチがＯＮされていない場合やＳ５１５でカバーガラス２０５の振動を終了した場合にはＳ５１６に進む。
【００５６】
Ｓ５１６では図１に示したメインスイッチ１１８がＯＦＦであるかどうかを判定する。
【００５７】
ユーザは上記清掃作業が終了したらメインスイッチ１１８をオフすることでクリーニングモードを終了させることができる。メインスイッチ１１８がＯＦＦされるまでＳ５１２〜Ｓ５１６を実行し、メインスイッチ１１８がＯＦＦされるとＳ５１７に進み、シャッター後幕２０９を駆動して後幕を閉じ、クイックリターンミラー２０３をミラーダウンする。更に、次回の撮影動作のためにシャッターチャージ動作（シャッターを撮影前の状態に戻し、レリーズ可能な状態にする動作）を行い、一連の動作が終了する。
【００５８】
上記第１の実施の形態によれば、マイクロコンピュータ４０２がクリーニング状態において撮像素子２１２の前面に配置されたカバーガラス２０５を露出すると共に、カバーガラス２０５を振動素子２１５により振動させるように制御する。
【００５９】
これにより、ユーザがブロア等を用いてゴミの除去作業中にカバーガラス２０５を振動させるので、ゴミの排出がしやすくなる。
【００６０】
その結果、（１）カメラをクリーニング状態にしユーザがブロア等を使って手動で行うゴミの除去と（２）振動によるゴミの除去とを同時に実行し、上記（１）と（２）の相乗効果により個々の作業では除去できないゴミを除去できる。よって、撮像素子の受光面の清掃作業を効率良く行うことができる。
【００６１】
また、撮像素子の前面のカバーガラスを露出させた状態で清掃を行うためカメラ外部にゴミを排出することができる。
【００６２】
すなわち、カバーガラスを振動させただけではカバーガラス上で移動するだけで取りきれないゴミが残る事や、カバーガラス上から取れたゴミがカメラ内部に留まってしまい、再度カバーガラス上に付着するおそれがある。また、ユーザがブロア等で吹き飛ばすだけではカバーガラスに強く付着したゴミが取れない場合がある。このような場合でも、振動によりカバーガラス上のゴミの付着力を弱めた状態で、ユーザがブロア等で吹き飛ばせるので、ゴミを効率よくカメラ外部に排出することができる。
【００６３】
［第２の実施の形態］
本発明に係る第２の実施の形態では、図１乃至図３を用いて説明したカメラの構成については同等であるので説明を省略する。本発明に係る第２の実施の形態においては、図３で示した加振制御回路４２０を制御して振動素子２１５を駆動させる指示の仕方が異なる。
【００６４】
図７は、本実施の形態のカメラの動作を示すフローチャートである。なお、以下の処理において、図４と同じ動作を行うものについては、図４と同じ符号を用いることとし、その詳細な説明については省略する。
【００６５】
Ｓ４０１でメインスイッチがＯＮであれば、Ｓ４０２で各操作スイッチのＯＮおよびＯＦＦを判断する。ＯＮであれば、その操作スイッチに対応した処理をＳ４０３で実行する。ＯＦＦであればＳ４０１へ戻る。
【００６６】
次にＳ７０１に進み、セットボタン１１２が押し下げられているか否かを判断する。ここで、セットボタン１１２は、カバーガラス２０５を振動させるために、加振制御回路４２０を制御するためのトリガーボタンとしての機能を有するものである。
【００６７】
Ｓ７０１で、セットボタン１１２が押し下げられていると判断するとＳ７０２に進み、カバーガラス２０５の振動を開始する。具体的には、加振制御回路４２０を制御して振動素子２１５を駆動させることにより、カバーガラス２０５の振動を実現する。
【００６８】
Ｓ７０３では、カバーガラス２０５の振動中にスイッチ１（４０５）がＯＮされたか否かを判断する。ＯＮされたことを判断すると、Ｓ７０５に進み、カバーガラス２０５の振動を直ちに終了する。このような動作をすることにより、ユーザは咄嗟のシャッターチャンスにもいち早く対応することが可能となる。
【００６９】
Ｓ７０３でＯＮでない、すなわちＯＦＦのままであると判断すると、Ｓ７０５に進み、振動を開始してから所定時間が経過したか否かを判断する。ここで、所定時間とは、カバーガラス２０５に付着しているであろうゴミがおおよそ除去できると期待できる、予め設定されている振動時間である。所定時間が経過していなければ、振動を継続する。所定時間が経過していればＳ７０５に進み、カバーガラス２０５の振動を終了する。
【００７０】
Ｓ７０１でセットボタン１１２が押し下げられていない場合、または、Ｓ７０５でカバーガラス２０５の振動を終了した場合には、Ｓ４０５に進み、スイッチ１（４０５）がＯＮされているか否かを判断する。ＯＦＦであればＳ４０１へ戻る。
【００７１】
Ｓ４０６でＯＮであれば、Ｓ４０７へ進み、公知の測光（ＡＥ）、測距（ＡＦ）動作を行う。
【００７２】
続いてスイッチ２（４０６）が押し下げられているか否かをＳ４０８で判断し、ＯＦＦであると判断されるとＳ４０６へ戻り、ＯＮであると判断されるとＳ４０９へ進み、撮像処理ルーチンが実行される。
【００７３】
そして、Ｓ４１０で撮像画像の表示が実行され、一連の撮像動作が終了する。
【００７４】
以上のように、撮影に先立つ任意のタイミングで、ユーザの意思によりカバーガラスを振動できるようにしたので、特定のシャッターチャンスの前に、特にゴミ除去を行っておきたいというユーザの要求に応えることが可能となる。また、本発明に係る第２の実施の形態によれば、ミラーアップやシャッター幕駆動といった動作を伴わないため、カメラの外部にゴミを排出することはあまり期待できないが、その分振動動作を迅速に実行できるので、シャッターチャンス前に素早く、少なくともカバーガラス上からは一定のゴミを除去することが期待できる。
【００７５】
なお、本発明に係る第２の実施の形態においては、セットボタン１１２をカバーガラス２０５を振動させるためのトリガーボタンとして利用したが、これに限られるものではなく、他のボタンや複数のボタンの組み合わせ等であっても良い。
【図面の簡単な説明】
【００７６】
【図１】本発明に係る第１の実施の形態のカメラの背面図（ａ）及び上面図（ｂ）である。
【図２】本発明に係る第１の実施の形態のカメラの断面図である。
【図３】本発明に係る第１の実施の形態のカメラの電気的な構成を示すブロック図である。
【図４】本発明に係る第１の実施の形態のカメラの動作を示すメインルーチンのフローチャートである。
【図５】図４のＳ４０５におけるクリーニングルーチンのフローチャートである。
【図６】クリーニングモードを示す画面を例示する図である。
【図７】本発明に係る第２の実施の形態のカメラの動作を示すフローチャートである。
【符号の説明】
【００７７】
１００  カメラ本体
１１１  接眼窓
１１２  セット釦
１１４  レリーズ釦
１１５  メイン電子ダイアル
１１６  サブ電子ダイアル
１１７  撮影系スイッチ類
１１８  メインスイッチ
１２０  ＬＣＤモニタ
１２１  メニュー釦
１２２  再生釦
１２３  消去釦
２００  撮影レンズ
２０１  撮影光軸
２０２  本体マウント
２０３  クイックリターンミラー
２０４  ピント板
２０５  カバーガラス
２０６  ペンタゴナルダハプリズム
２０７  測光センサ
２０８  接眼レンズ
２０９  シャッターの後幕
２１０  シャッターの先幕
２１１  プリント基板
２１２  撮像素子
２１４  バックライト照明装置
２１５  振動素子
２１６  メモリーカード
２１７  電池
４０１  プリント基板
４０２  マイクロコンピュータ
４０３  画像処理回路
４０５  スイッチ１
４０６  スイッチ２
４０７  レンズ制御回路
４０８  外部表示制御回路
４０９  外部表示装置
４１０  スイッチセンス回路
４１３  測距回路
４１４  測光回路
４１５  駆動系制御回路
４２０  加振制御回路
４２１  電源回路
【図１】
0004678846.tif 000002
【図２】
0004678846.tif 000003
【図３】
0004678846.tif 000004
【図４】
0004678846.tif 000005
【図５】
0004678846.tif 000006
【図６】
0004678846.tif 000007
【図７】
0004678846.tif 000008